(57)【要約】【課題】蛍光灯の消耗状態の最新情報を、携帯電話の画面上に随時表示可能とする。【解決手段】蛍光灯の寿命を管理する蛍光灯情報管理サーバと、蛍光灯の光度を測定する光度計測器を備えた携帯電話とが通信網を介して接続された蛍光灯情報管理システムであって、前記蛍光灯情報管理サーバは、前記通信網により前記携帯電話からの蛍光灯情報を受信する蛍光灯情報受信部と、前記蛍光灯情報受信部で受信された情報により蛍光灯の消耗状態を算出する蛍光灯消耗状態算出部と、前記蛍光灯消耗状態算出部で算出された蛍光灯消耗状態を前記携帯電話に送信する蛍光灯消耗状態送信部とを備え、前記携帯電話は、前記通信網を介して前記光度計測器で測定した各部屋の蛍光灯の光度を前記蛍光灯情報管理サーバに送信する蛍光灯情報送信部と、前記蛍光灯情報管理サーバで算出された蛍光灯消耗状態を受信する蛍光灯消耗状態受信部と、前記受信した蛍光灯消耗状態を表示する表示部とを備える。【選択図】図１
2007305380.tif 000002
【特許請求の範囲】
【請求項１】
蛍光灯の寿命を管理する蛍光灯情報管理サーバと、蛍光灯の光度を測定する光度計測器を備えた携帯電話とが通信網を介して接続された蛍光灯情報管理システムであって、
前記蛍光灯情報管理サーバは、前記通信網により前記携帯電話からの蛍光灯情報を受信する蛍光灯情報受信部と、
前記蛍光灯情報受信部で受信された情報により蛍光灯の消耗状態を算出する蛍光灯消耗状態算出部と、
前記蛍光灯消耗状態算出部で算出された蛍光灯消耗状態を前記携帯電話に送信する蛍光灯消耗状態送信部とを備え、
前記携帯電話は、前記通信網を介して前記光度計測器で測定した各部屋の蛍光灯の光度を前記蛍光灯情報管理サーバに送信する蛍光灯情報送信部と、
前記蛍光灯情報管理サーバで算出された蛍光灯消耗状態を受信する蛍光灯消耗状態受信部と、
前記受信した蛍光灯消耗状態を表示する表示部とを備えること特徴とする蛍光灯情報管理システム。
【発明の詳細な説明】
【技術分野】
【０００１】
本発明は、蛍光灯情報管理システムに係り、特に、蛍光灯の現在の消耗状態を携帯電話に表示し、蛍光灯の取換時期のタイミングを認識させる方法に関する。
【背景技術】
【０００２】
例えば、下記特許文献１に記載されているように、従来、蛍光灯のちらつき、および、点滅などの情報を管理して、蛍光灯の取換時期を通知する蛍光灯取換時期通知システムが知られている。
【０００３】
なお、本願発明に関連する先行技術文献としては以下のものがある。
【特許文献１】特開２００４-１７１３１４号公報
【発明の開示】
【発明が解決しようとする課題】
【０００４】
しかしながら、前述した従来の蛍光灯取換時期通知システムでは、蛍光灯のちらつき、および、点滅の現象が生じた場合に限り状況を把握することができるが、蛍光灯の現状状況を随時把握することはできなかった。
本発明は、前記従来技術の問題点を解決するためになされたものであり、本発明の目的は、蛍光灯の消耗状態の最新情報を、携帯電話の画面上に随時表示可能とする蛍光灯情報管理システムを提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の目的を達成するために、本発明は、蛍光灯の寿命を管理する蛍光灯情報管理サーバと、蛍光灯の光度を測定する光度計測器を備えた携帯電話とが通信網を介して接続された蛍光灯情報管理システムであって、前記蛍光灯情報管理サーバは、前記通信網により前記携帯電話からの蛍光灯情報を受信する蛍光灯情報受信部と、前記蛍光灯情報受信部で受信された情報により蛍光灯の消耗状態を算出する蛍光灯消耗状態算出部と、前記蛍光灯消耗状態算出部で算出された蛍光灯消耗状態を前記携帯電話に送信する蛍光灯消耗状態送信部とを備え、前記携帯電話は、前記通信網を介して前記光度計測器で測定した各部屋の蛍光灯の光度を前記蛍光灯情報管理サーバに送信する蛍光灯情報送信部と、前記蛍光灯情報管理サーバで算出された蛍光灯消耗状態を受信する蛍光灯消耗状態受信部と、前記受信した蛍光灯消耗状態を表示する表示部とを備える。
【発明の効果】
【０００６】
本願において開示される発明のうち代表的なものによって得られる効果を簡単に説明すれば、下記の通りである。
本発明の蛍光灯情報管理システムによれば、蛍光灯の消耗状態の最新情報を、携帯電話の表示部に随時表示することが可能となるので、利用者は、蛍光灯の現在の消耗状態を把握することができ、取換時期のタイミングを認識することが可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例の蛍光灯情報管理システムの概略全体構成を示すブロック図である。
図１に示すように、本実施例の蛍光灯情報管理システムは、蛍光灯情報を管理する蛍光灯情報管理サーバ１００と、蛍光灯情報を測定する機能をもつ携帯電話１１０と、蛍光灯情報管理サーバ１００と携帯電話１１０を接続する通信網（例えば、インターネット、その他の有線、および無線の通信網）１２０とで構成される。
蛍光灯情報管理サーバ１００は、蛍光灯情報管理サーバ１００の各処理を制御する制御部１０１と、携帯電話１１０により計測された蛍光灯の光度から蛍光灯の消耗状態を算出する蛍光灯消耗状態算出部１０２と、蛍光灯情報管理サーバ１００の情報を表示する表示部１０３と、蛍光灯情報に関する情報を入力する入力部１０４と、携帯電話１１０からの蛍光灯情報を受信する蛍光灯情報受信部１０５と、蛍光灯情報を管理する蛍光灯情報テーブル１０６と、蛍光灯消耗状態算出部１０２によって算出された蛍光灯消耗状態を携帯電話１１０に送信する蛍光灯消耗状態送信部１０７とを備える。
携帯電話１１０は、携帯電話１１０の各処理を制御する制御部１１１と、実際に光度を計測する光度計測部１１２と、測定された光度などの蛍光灯情報を蛍光灯情報管理サーバ１００に送信する蛍光灯情報送信部１１３と、蛍光灯消耗状態算出部１０２によって算出された蛍光灯消耗状態を受信する蛍光灯消耗状態受信部１１４と、表示部１１５とを備える。
【０００８】
図２は、図１に示す蛍光灯情報を管理する蛍光灯情報テーブル１０６の記録フォーマットを示す図である。
図２において、２０１は部屋番号、２０２は照明番号、２０３は蛍光灯番号、２０４は蛍光灯使用開始日時、２０５は使用開始時光度、２０６は測定光度、２０７は光度維持率、２０８は開始フラグ、２０９は蛍光灯消耗状態を示す。
ここで、蛍光灯情報テーブル１０６の部屋番号２０１、照明番号２０２、および蛍光灯番号２０３には、予め、蛍光灯情報管理サーバ１００の入力部１０４を介して、あるいは、携帯電話１１０を介して、それぞれの情報が入力され、保持されている。
また、蛍光灯を取り替えた場合にも、蛍光灯情報管理サーバ１００の入力部１０４を介して、あるいは、携帯電話１１０を介して、蛍光灯情報テーブル１０６の蛍光灯使用開始日時２０４に保持されるとともに、開始フラグ２０８が”０”とされる。
【０００９】
次に、本実施例において、蛍光灯情報管理サーバ１００に送信された蛍光灯情報から蛍光灯消耗状態を算出し、算出された蛍光灯消耗状態を携帯電話１１０に随時送信し、最新情報を表示する方法について説明する。
図３は、本実施例の蛍光灯情報管理サーバ１００の処理手順を示すフローチャートである。
まず、本実施例の蛍光灯情報管理サーバ１００は、蛍光灯情報受信部１０５を介して、蛍光灯情報（部屋番号、照明番号、蛍光灯番号、および測定した光度）を携帯電話１１０から受信し（ステップ３０１）、蛍光灯情報テーブル１０６の開始フラグ２０８が”０”であるか否かを検出する（ステップ３０２）。
ステップ３０２において、「Ｙｅｓ」の場合（即ち、蛍光灯を取り替えた最初の蛍光灯光度測定時の場合）は、開始フラグ２０８を”１”に設定し（ステップ３０３）、使用開始時の光度を、蛍光灯情報テーブル１０６の使用開始時光度２０５に設定する（ステップ３０４）。
さらに、蛍光灯情報テーブル１０６の蛍光灯消耗状態２０９を”Ａ”に設定し（設定ステップ３０５）、蛍光灯消耗状態送信部１０７を介して、蛍光灯消耗状態（この場合は、”Ａ”）を携帯電話１１０に送信する（ステップ３１１）。
【００１０】
ステップ３０２において、「Ｎｏ」の場合（即ち、蛍光灯光度を既に測定済の場合）は、蛍光灯消耗状態算出部１０２により、光度維持率（（測定時光度÷使用開始時光度）×１００）＜８０であるか否かを検出する（ステップ３０６）。
ステップ３０６において、「Ｙｅｓ」の場合（即ち、光度維持率＜８０）は、蛍光灯情報テーブル１０６の蛍光灯消耗状態２０９を”Ｃ”に設定し（ステップ３０７）、蛍光灯消耗状態送信部１０７を介して、蛍光灯消耗状態（この場合は、”Ｃ”）を携帯電話１１０に送信する（ステップ３１１）。
ステップ３０６において、「Ｎｏ」の場合（即ち、光度維持率≧８０）は、蛍光灯消耗状態算出部１０２により、光度維持率（（測定時光度÷使用開始時光度）×１００）＜９５であるか否かを検出する（ステップ３０８）。
ステップ３０８において、「Ｙｅｓ」の場合（即ち、８０≦光度維持率＜９５）は、蛍光灯情報テーブル１０６の蛍光灯消耗状態２０９を”Ｂ”に設定し（ステップ３０９）、蛍光灯消耗状態送信部１０７を介して、蛍光灯消耗状態（この場合は、”Ｂ”）を携帯電話１１０に送信する（ステップ３１１）。
ステップ３０８において、「Ｎｏ」の場合（即ち、９５≦光度維持率＜１００）は、蛍光灯情報テーブル１０６の蛍光灯消耗状態２０９を”Ａ”に設定し（ステップ３１０）、蛍光灯消耗状態送信部１０７を介して、蛍光灯消耗状態（この場合は、”Ａ”）を携帯電話１１０に送信する（ステップ３１１）。
また、携帯電話１１０の要求に応じて、蛍光灯情報テーブル１０６の蛍光灯消耗状態２０９の情報を、蛍光灯消耗状態送信部１０７を介して携帯電話１１０に送信する。
【００１１】
図４は、本実施例の携帯電話１１０の処理手順を示すフローチャートである。
携帯電話１１０では、携帯電話１１０上の「蛍光灯光度取得ボタン」を押下したか否かを検出する（ステップ４０１）。
ステップ４０１において、「Ｙｅｓ」の場合は、光度計測部１１２により、蛍光灯の光度を測定し（ステップ４０２）、蛍光灯情報送信部１１３を介して、蛍光灯情報管理サーバ１００に蛍光灯情報（部屋番号、照明番号、蛍光灯番号、および測定光度）を送信する（ステップ４０３）。
ステップ４０１において、「Ｎｏ」の場合は、携帯電話１１０上の「蛍光灯消耗状態取得ボタン」を押下したか否かを検出する（ステップ４０４）。
ステップ４０４において、「Ｙｅｓ」の場合は、蛍光灯消耗状態受信部１１４を介して、蛍光灯情報管理サーバ１００から蛍光灯消耗状態を取得し（ステップ４０５）、取得した蛍光灯消耗状態を携帯電話１１０の表示部１１５に表示する（ステップ４０６）。
ステップ４０４において、「Ｎｏ」の場合はそのまま処理を終了する。
以上説明したように、本実施例によれば、蛍光灯情報管理サーバ１００から得られる蛍光灯消耗状態を、携帯電話１１０の表示部上に随時最新情報を表示することができるので、利用者は蛍光灯の現在の消耗状態を把握することができ、取換時期のタイミングを認識することが可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１２】
【図１】本発明の実施例の蛍光灯情報管理システムの概略全体構成を示すブロック図である。
【図２】図１に示す蛍光灯情報を管理する蛍光灯情報テーブルの記録フォーマットを示す図である。
【図３】本発明の実施例の蛍光灯情報管理サーバの処理手順を示すフローチャートである。
【図４】本発明の実施例の携帯電話の処理手順を示すフローチャートである。
【符号の説明】
【００１３】
１００  蛍光灯情報管理サーバ
１０１  制御部
１０２  蛍光灯消耗状態算出部
１０３，１１５  表示部
１０４  入力部
１０５  蛍光灯情報受信部
１０６  蛍光灯情報テーブル
１０７  蛍光灯消耗状態送信部
１１０  携帯電話
１１１  制御部
１１２  光度計測部
１１３  蛍光灯情報送信部
１１４  蛍光灯消耗状態受信部
１２０  通信網
２００  蛍光灯情報テーブル記録フォーマット
２０１  部屋番号
２０２  照明番号
２０３  蛍光灯番号
２０４  蛍光灯使用開始日時
２０５  使用開始時光度
２０６  測定光度
２０７  光度維持率
２０８  開始フラグ
２０９  蛍光灯消耗状態
【図１】
2007305380.tif 000003
【図２】
2007305380.tif 000004
【図３】
2007305380.tif 000005
【図４】
2007305380.tif 000006